Podtech/llm-jp-corpus-v4-ja_patent huggingface dataset:
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
第一の通信部および前記第一の通信部を介する画像情報の送信を指示する画像送信指示部を持つ第一の装置と、第二の通信部、前記第二の通信部の受信によって前記第一の装置の指定する母国語を特定する母国語特定部、前記第二の通信部で受信される前記第一の装置からの画像情報について前記母国語特定部によって特定された母国語による言語情報を発生する言語情報発生部、および前記第二の通信部を介する前記言語情報の前記第一の通信部への送信を指示する言語情報送信指示部を持つ第二の装置とを有することを特徴とする生活支援システム。
【請求項２】
前記画像情報は原語による文字画像であるとともに、前記言語情報発生部は、文字画像情報から原語の文字情報を認識する文字読取部と、前記文字読取装置で読取られた原語の文字情報を指定された母国語による言語情報に変換する変換部とを有することを特徴とする請求項１記載の生活支援システム。
【請求項３】
前記言語情報発生部は、前記画像情報が著名映像であるかどうか認識する画像読取部と、前記画像認識部で認識された著名映像の特定情報を指定された母国語による言語情報に変換する変換部とを有することを特徴とする請求項１または２に記載の生活支援システム。
【請求項４】
前記言語情報発生部は、前記画像情報の表示部と、表示された画像の特定情報を入力する入力部と、前記入力部で入力された特定情報を指定された母国語による言語情報に変換する変換部とを有することを特徴とする請求項１から３のいずれかに記載の生活支援システム。
【請求項５】
前記言語情報発生部は、前記画像情報の表示部と、表示された画像に関する母国語による言語情報を入力する入力部とを有することを特徴とする請求項１から４のいずれかに記載の生活支援システム。
【請求項６】
前記言語情報発生部によって発生される言語情報は母国語の文字情報であることを特徴とする請求項１から５のいずれかに記載の生活支援システム。
【請求項７】
前記言語情報発生部によって発生される言語情報は母国語の音声情報であることを特徴とする請求項１から６のいずれかに記載の生活支援システム。
【請求項８】
前記第一の装置は、第一の通信部が受信した言語情報を母国語文字による表示情報に変換する表示制御部を有することを特徴とする請求項１から７のいずれかに記載の生活支援システム。
【請求項９】
前記第一の装置は、第一の通信部が受信した言語情報を音声に変換する発音部を有することを特徴とする請求項１から８のいずれかに記載の生活支援システム。
【請求項１０】
前記第一の装置は、前記画像情報を撮像する撮像部を有することを特徴とする請求項１から９のいずれかに記載の生活支援システム。
【請求項１１】
前記第一の装置は、前記画像情報を外部から入力する入力部を有することを特徴とする請求項１から１０のいずれかに記載の生活支援システム。
【請求項１２】
第一の通信部および前記第一の通信部を介する画像情報の送信を指示する画像送信指示部を持つ第一の装置と、第二の通信部、前記第二の通信部で受信される前記第一の装置からの画像情報についての所定の言語による言語情報を発生する言語情報発生部、および前記第二の通信部を介する前記言語情報の前記第一の通信部への送信を指示する言語情報送信指示部を持つ第二の装置とを有することを特徴とする生活支援システム。
【請求項１３】
前記画像情報は第１の言語による文字画像であるとともに、前記言語情報発生部は、文字画像情報から原語の文字情報を認識する文字読取部と、前記文字読取装置で読取られた前記第１の言語による文字情報を第２の言語による言語情報に変換する変換部とを有することを特徴とする請求項１２記載の生活支援システム。
【請求項１４】
前記言語情報発生部は、前記画像情報が著名映像であるかどうか認識する画像読取部と、前記画像認識部で認識された著名映像の特定情報を前記所定の言語による言語情報に変換する変換部とを有することを特徴とする請求項１２に記載の生活支援システム。
【請求項１５】
前記第一の装置は、前記画像情報を撮像する撮像部を有することを特徴とする請求項１２から１４のいずれかに記載の生活支援システム。
【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
所定期間中に必要となる複数のチケットを予め指定しておき、
前記所定期間中において指定されたチケットの中から必要なチケットを検出する検出手段と、
前記検出手段で検出手段の検出結果に応じて自動的にチケット情報を提供する提供手段とを有することを特徴とするチケットシステム。
【請求項２】
請求項１に記載のチケットシステムにおいて、
前記検出手段は、指定したチケットの使用者のスケジュールに基づいて必要なチケットを検出することを特徴とするチケットシステム。
【請求項３】
請求項１に記載のチケットシステムにおいて、
前記検出手段は、指定したチケットの使用者の位置情報に基づいて必要なチケットを検出することを特徴とするチケットシステム。
【請求項４】
請求項１に記載のチケットシステムにおいて、
前記チケット使用者は端末を持ち、
前記提供手段は、前記端末にチケット情報を提供することを特徴とするチケットシステム。
【請求項５】
請求項４に記載のチケットシステムにおいて、
前記端末は、位置を検出する位置検出手段を備え、
前記検出手段は、前記端末からの位置情報に基づいて検出することを特徴とするチケットシステム。
【請求項６】
請求項１に記載のチケットシステムにおいて、
前記所定期間中は、旅行ツアー中であることを特徴とするチケットシステム。
【請求項７】
請求項１に記載のチケットシステムにおいて、
前記チケット情報は、無線通信で提供されることを特徴とするチケットシステム。
【請求項８】
請求項１に記載のチケットシステムにおいて、
前記チケット情報は、メモリカードに記憶され提供されることを特徴とするチケットシステム。
【請求項９】
請求項４に記載のチケットシステムにおいて、
前記端末は、デジタルカメラであることを特徴とするチケットシステム。
【請求項１０】
現在の時刻を検出する時刻検出手段と、
携帯情報端末装置と、
前記携帯情報端末装置の場所を検出する位置検出手段と、
前記携帯情報端末装置に情報を送信する情報サーバ−コンピュータとからなり、
前記情報サーバーコンピュータは、前記情報として、前記時刻検出手段が検出した時間に前記位置検出手段が検出した場所で利用可なクーポンを前記携帯情報端末装置に送信することを特徴とする情報提供システム。
【請求項１１】
現在の時刻を検出する時刻検出手段と、
携帯情報端末装置と、
前記携帯情報端末装置の場所を検出する位置検出手段と、
前記携帯情報端末装置に情報を送信する情報サーバ−コンピュータとからなり、
前記情報サーバーコンピュータは、前記情報として、前記時刻検出手段が検出した時間に前記位置検出手段が検出した場所で利用可なチケットを前記携帯情報端末装置に送信することを特徴とする情報提供システム。
【請求項１２】
請求項１０又は請求項１１に記載の情報提供システムのサーバーコンピュータ。
【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】メモリカード、メモリカードの装着装置及び装着システム
【手続補正２】
【補正対象書類名】明細書
【補正対象項目名】特許請求の範囲
【補正方法】変更
【補正の内容】
【特許請求の範囲】
【請求項１】
メモリチップを内蔵するカード本体と、
上記カード本体の挿入方向前端からカード本体上面に亘って開口する凹状部と、
上記カード本体の挿入方向に沿って上記凹状部内に並列して配置された複数の外部接続用端子と、
上記カード本体の前端側にて挿入方向に沿って開閉動作して上記凹状部を開放又は閉塞するシャッタ部材と、
上記シャッタ部材を上記カード本体の挿入方向前端側に付勢するバネ部材とを備え、
上記カード本体の上記凹状部の前端側開口部と平行な壁面から上記カード本体の内部に亘り上記シャッタ部材の移動を可能とするための溝部が形成され、
上記シャッタ部材は、上記メモリカードが装着装置に装着されるときに、上記装着装置の突部により上記バネ部材の付勢力に抗して上記溝部内に移動して上記凹状部を開放し、上記メモリカードが装着装置に装着されないときには、上記バネ部材により上記カード本体の挿入方向前端側に付勢されて上記凹状部を閉塞することを特徴とするメモリカード。
【請求項２】
上記前端側開口部と平行な壁面が上記凹状部の底面から所定の仰角をもって傾斜する傾斜面とされていることを特徴とする請求項１記載のメモリカード。
【請求項３】
上記シャッタ部材は、前端部が傾斜面とされていることを特徴とする請求項１記載のメモリカード。
【請求項４】
メモリカードが装着される装着装置において、
上記メモリカードは、
メモリチップを内蔵するカード本体と、
上記カード本体の挿入方向前端からカード本体上面に亘って開口する凹状部と、上記カード本体の挿入方向に沿って上記凹状部内に並列して配置された複数の外部接続用端子と、
上記カード本体の前端側にて挿入方向に沿って開閉動作して上記凹状部を開放又は閉塞するシャッタ部材と、
上記シャッタ部材を上記カード本体の挿入方向前端側に付勢するバネ部材とを備え、
上記カード本体の上記凹状部の前端側開口部と平行な壁面から上記カード本体の内部に亘り上記シャッタ部材の移動を可能とするための溝部が形成され、
上記シャッタ部材は、上記メモリカードが装着装置に装着されるときに、上記装着装置の突部により上記バネ部材の付勢力に抗して上記溝部内に移動して上記凹状部を開放し、上記メモリカードが装着装置に装着されないときには、上記バネ部材により上記カード本体の挿入方向前端側に付勢されて上記凹状部を閉塞し、
上記装着装置には、上記メモリカードが挿入される際、上記バネ部材の付勢力に抗して上記シャッタ部材を押圧操作して上記凹状部を開放す突部が設けられていることをを特徴とするメモリカードの装着装置。
【請求項５】
メモリカードと、メモリカードが装着される装着装置とを有するシステムにおいて、
上記メモリカードは、
メモリチップを内蔵するカード本体と、
上記カード本体の挿入方向前端からカード本体上面に亘って開口する凹状部と、上記カード本体の挿入方向に沿って上記凹状部内に並列して配置された複数の外部接続用端子と、
上記カード本体の前端側にて挿入方向に沿って開閉動作して上記凹状部を開放又は閉塞するシャッタ部材と、
上記シャッタ部材を上記カード本体の挿入方向前端側に付勢するバネ部材とを備え、
上記カード本体の上記凹状部の前端側開口部と平行な壁面から上記カード本体の内部に亘り上記シャッタ部材の移動を可能とするための溝部が形成され、
上記シャッタ部材は、上記メモリカードが装着装置に装着されるときに、上記装着装置の突部により上記バネ部材の付勢力に抗して上記溝部内に移動して上記凹状部を開放し、上記メモリカードが装着装置に装着されないときには、上記バネ部材により上記カード本体の挿入方向前端側に付勢されて上記凹状部を閉塞し、
上記装着装置は、上記メモリカードが挿入される際、上記バネ部材の付勢力に抗して上記シャッタ部材を押圧操作して上記凹状部を開放す突部を備えていることを特徴とするシステム。
【手続補正３】
【補正対象書類名】明細書
【補正対象項目名】０００１
【補正方法】変更
【補正の内容】
【０００１】
【発明の属する技術分野】
本発明は、装着装置に装着されて情報信号の書き込み又は読み出しが行われるメモリカード及びこのメモリカードが装着される装着装置、さらにはその装着システムに関する。
【手続補正４】
【補正対象書類名】明細書
【補正対象項目名】０００９
【補正方法】変更
【補正の内容】
【０００９】
そこで、本発明は、簡単な構造で外部接続端子の保護を図ることができるとともに、塵埃等を容易に除去して装着装置との接続を図ることができるメモリカード、このメモリカードが装着される装着装置、さらにはそのシステムを提供することを目的とする。
【手続補正５】
【補正対象書類名】明細書
【補正対象項目名】００１０
【補正方法】変更
【補正の内容】
【００１０】
【課題を解決するための手段】
上述の目的を達成するために提案される本発明に係るメモリカードは、メモリチップを内蔵するカード本体と、上記カード本体の挿入方向前端からカード本体上面に亘って開口する凹状部と、上記カード本体の挿入方向に沿って上記凹状部内に並列して配置された複数の外部接続用端子と、上記カード本体の前端側にて挿入方向に沿って開閉動作して上記凹状部を開放又は閉塞するシャッタ部材と、上記シャッタ部材を上記カード本体の挿入方向前端側に付勢するバネ部材とを備え、上記カード本体の上記凹状部の前端側開口部と平行な壁面から上記カード本体の内部に亘り上記シャッタ部材の移動を可能とするための溝部が形成され、上記シャッタ部材は、上記メモリカードが装着装置に装着されるときに、上記装着装置の突部により上記バネ部材の付勢力に抗して上記溝部内に移動して上記凹状部を開放し、上記メモリカードが装着装置に装着されないときには、上記バネ部材により上記カード本体の挿入方向前端側に付勢されて上記凹状部を閉塞する。
さらに、本発明は、このメモリカードが装着される装置装置であり、この装着装置を備えるシステムである。
【手続補正書】
【提出日】平成16年8月25日(2004.8.25)
【手続補正１】
【補正対象書類名】明細書
【補正対象項目名】特許請求の範囲
【補正方法】変更
【補正の内容】
【特許請求の範囲】
【請求項１】
撮像装置によって所定の視野範囲を逐次撮像し、該視野範囲の一部を処理エリアとして指定し、前記撮像装置によって撮像される画像の指定された該処理エリア内に所定の画像処理を施す画像処理装置において、
異なる時刻に撮像された画像を、取得した時刻と関連づけて少なくとも２つ記録し、
記録された前記異なる時刻に撮像された画像と逐次撮像される画像との輝度値の差を比較して画素毎に最大の輝度値を抽出し、抽出された最大の輝度値の画像から所定の値以上の輝度値のエリアを前記処理エリアとして更新することを特徴とする画像処理方法。
【請求項２】
撮像装置によって所定の視野範囲を逐次撮像し、該視野範囲の一部を処理エリアとして指定し、前記撮像装置によって撮像される画像の指定された該処理エリア内に所定の画像処理を施す画像処理装置において、
撮像された画像を、取得した時刻と関連づけて画像メモリに記録し、
記録された前記異なる時刻に撮像された画像間の中で少なくとも１つの画素毎に最大の輝度値を抽出し、抽出された最大の輝度値の画像から所定の値以上の輝度値のエリアを前記処理エリアとして更新することを特徴とする画像処理方法。
【請求項３】
請求項２記載の画像処理方法において、前記画像メモリに所定数の画像を記録し、記録された一番古い画像を新規に撮像された画像に置きかえることを特徴とする画像処理方法。
【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】接続構造及び装着システム
【手続補正２】
【補正対象書類名】明細書
【補正対象項目名】特許請求の範囲
【補正方法】変更
【補正の内容】
【特許請求の範囲】
【請求項１】
平面形状が略長方形のカード本体に設けられる接続構造であって、
上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、
上記前端側開口部と平行な壁面が上記凹状部の底面から所定の仰角をもって傾斜する傾斜面とされていることを特徴とするカード本体に設けられる接続構造。
【請求項２】
上記突起部の幅は、上記外部接続用端子の幅よりも狭いことを特徴とする請求項１記載のカード本体に設けられる接続構造。
【請求項３】
上記外部接続用端子が設けられる挿入方向前端の一方の頂点には、挿入方向に対して斜めに切り欠かれた切欠部が形成されることを特徴とする請求項１記載のカード本体に設けられる接続構造。
【請求項４】
上記外部接続用端子及び上記突起部が形成される挿入方向前端部が、全幅に亘って厚み方向に切欠かれていることを特徴とする請求項１記載のカード本体に設けられる接続構造。
【請求項５】
平面形状が略長方形のカード本体に設けられる接続部と該接続部を装着可能な装着装置とを有する装着システムであって、
上記接続部は、上記カード本体の挿入方向前端からカード本体上面に亘って開口する凹状部と、
上記カード本体の挿入方向に沿って上記凹状部内に並列して配置された複数の外部接続用端子とを備え、
上記凹状部内には、上記外部接続用端子間の少なくとも一の領域にこの外部接続用端子への外部からの接触を防止するための突起部が上記凹状部の前端側開口部から当該前端側開口部と平行な壁面に亘って形成されているとともに、上記前端側開口部と平行な壁面が上記凹状部の底面から所定の仰角をもって傾斜する傾斜面とされており、
上記装着装置は、上記接続部が挿入される開口部と、
上記開口部から装置内部に亘る、上記接続部が装着される装着用凹部と、
上記装着用凹部内に配設され、上記接続部の外部接続用端子に接続される複数の端子とを有し、
上記接続部と上記装着装置とが装着される際、上記接続部の突起部は、上記装着装置の複数の端子間に配置されることを特徴とする装着システム。
【請求項６】
上記装着装置の外部接続用端子は、その先端側にカード本体の外部接続用端子と当接する当接部が折り曲げ形成されていることを特徴とする請求項５記載の装着システム。
【手続補正３】
【補正対象書類名】明細書
【補正対象項目名】０００１
【補正方法】変更
【補正の内容】
【０００１】
【発明の属する技術分野】
本発明は、装着装置に装着されて情報信号の書き込み又は読み出しが行われるメモリカードの接続構造、及びこのメモリカードが装着される装着システムに関する。
【手続補正４】
【補正対象書類名】明細書
【補正対象項目名】０００９
【補正方法】変更
【補正の内容】
【０００９】
そこで、本発明は、簡単な構造でメモリカードに設けた外部接続端子の保護を図り、メモリカードの装着システムへの確実な接続を図って装着可能としたメモリカードの接続構造及び装着システムを提供することを目的とする。
【手続補正５】
【補正対象書類名】明細書
【補正対象項目名】００１０
【補正方法】変更
【補正の内容】
【００１０】
【課題を解決するための手段】
上述の目的を達成するために提案される本発明は、平面形状が略長方形のカード本体に設けられる接続構造であって、カード本体の挿入方向前端からカード本体上面に亘って開口する凹状部と、カード本体の挿入方向に沿って上記凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、前端側開口部と平行な壁面が凹状部の底面から所定の仰角をもって傾斜する傾斜面とされている。
【手続補正６】
【補正対象書類名】明細書
【補正対象項目名】００１１
【補正方法】変更
【補正の内容】
【００１１】
ここで、突起部の幅は、外部接続用端子の幅よりも狭くされ、さらに、外部接続用端子が設けられる挿入方向前端の一方の頂点には、挿入方向に対して斜めに切り欠かれた切欠部を形成するようにしてもよい。
また、外部接続用端子及び突起部が形成される挿入方向前端部が、全幅に亘って厚み方向に切欠かれているようにしてもよい。
【手続補正７】
【補正対象書類名】明細書
【補正対象項目名】００１２
【補正方法】変更
【補正の内容】
【００１２】
また、本発明は、平面形状が略長方形のカード本体に設けられる接続部と該接続部を装着可能な装着装置とを有する装着システムであって、接続部は、カード本体の挿入方向前端からカード本体上面に亘って開口する凹状部と、カード本体の挿入方向に沿って凹状部内に並列して配置された複数の外部接続用端子とを備え、凹状部内には、外部接続用端子間の少なくとも一の領域にこの外部接続用端子への外部からの接触を防止するための突起部が凹状部の前端側開口部から当該前端側開口部と平行な壁面に亘って形成されているとともに、前端側開口部と平行な壁面が凹状部の底面から所定の仰角をもって傾斜する傾斜面とされている。装着装置は、接続部が挿入される開口部と、開口部から装置内部に亘る、接続部が装着される装着用凹部と、装着用凹部内に配設され、接続部の外部接続用端子に接続される複数の端子とを有し、接続部と装着装置とが装着される際、接続部の突起部は、装着装置の複数の端子間に配置されている。
【手続補正８】
【補正対象書類名】明細書
【補正対象項目名】００１３
【補正方法】変更
【補正の内容】
【００１３】
そして、装着装置の外部接続用端子は、その先端側にカード本体の外部接続用端子と当接する当接部が折り曲げ形成されている。
【手続補正９】
【補正対象書類名】明細書
【補正対象項目名】００７４
【補正方法】変更
【補正の内容】
【００７４】
【発明の効果】
本発明によれば、メモリカードを容易にしかも確実に装着装置への装着ができる。
【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】
コンテントの無線配達用コンテント販売機であって、
要求装置から支払い情報およびコンテント要求を受信するように構成された要求受信部と、
該要求受信部と関連して、該支払い情報を確認し、該コンテント要求に応じてコンテントを呼出し、該コンテントを該要求装置へ無線送信するように構成された要求履行部とを含むコンテント販売機。
【請求項２】
請求項１記載のコンテント販売機において、前記支払い情報又は前記コンテント要求は、前記要求装置から無線受信されるように構成されているコンテント販売機。
【請求項３】
請求項１記載のコンテント販売機において、前記要求装置は、携帯情報端末であるコンテント販売機。
【請求項４】
請求項１記載のコンテント販売機において、前記コンテントは、コンピュータデータ、音声データおよび映像データからなるグループから選択されるコンテント販売機。
【請求項５】
請求項１記載のコンテント販売機において、前記要求履行部は、前記要求を前記要求装置へ無線送信するように構成されたブルーツース遵守送信部を含むコンテント販売機。
【請求項６】
請求項１記載のコンテント販売機において、前記コンテント販売機は通信ネットワークに接続されているコンテント販売機。
【請求項７】
コンテントを無線配達する方法であって、
要求装置からの支払い情報およびコンテント要求をコンテント販売機の要求受信部で受信し、
該要求受信装置と関連した、該コンテント販売機の要求履行部で該支払い情報を確認し、
該コンテント要求に応じてコンテントを呼出し、
該コンテントを該要求装置へ無線送信することを含む方法。
【請求項８】
請求項７記載の方法において、前記受信は、無線で実行される方法。
【請求項９】
請求項７記載の方法において、前記無線送信は、ブルーツース遵守送信部で実行される方法。
【請求項１０】
通信ネットワークによるコンテントの無線配達用情報配達システムであって、
該通信ネットワークに接続され、コンテントを格納するコンテントリザーバーと、
該コンテントリザーバーに接続されたコンテント販売機とを含み、
該コンテント販売機は、
要求装置から支払い情報およびコンテント要求を受信する要求受信部と、
該要求受信部と関連して、該支払い情報を確認し、該コンテント要求に応じてコンテントを該コンテントリザーバーから呼出し、該コンテントを該要求装置へ無線送信する要求履行部とを含む情報配達システム。
【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
店舗内で販売される食料肉の商品情報を顧客に提供するための通信ネットワークによる食料肉商品情報の提供方法において、
中央情報管理システムは、出荷情報管理システムから食料肉商品情報として、食料肉の対象種の生存時の生産履歴情報および病検査結果としての陰性情報をＤＮＡ等情報に関連付けて通信ネットワークを介して提供を受けて該ＤＮＡ情報からパスワードを作成して入手し、データベースに蓄積し、
加工された食料肉の商品情報として、加工時あるいは販売時のＤＮＡ情報がパスワード情報として提供され、加工時あるいは販売時のパスワード情報と前記食料肉商品情報としてのパスワード情報の一致性を判定して、一致するときに、前記データベースに蓄積された生産履歴情報、および病検査結果としての陰性情報を前記店舗用情報管理システムもしくは顧客の情報端末あるいは携帯電話機に提供することを特徴とする食料肉商品情報の提供方法。
【請求項２】
請求項１において、前記生産履歴、および陰性情報はラベルに印字して加工された食料肉の包装または食料肉販売の店内に貼付された情報であることを特徴とする食料肉商品情報の提供方法。
【請求項３】
請求項１において、前記中央情報管理システムは、前記食料肉商品情報の提供に対して課金を計算し、および前記加工された食料肉の商品情報の提供に対して課金を計算することを特徴とする食料肉商品情報の提供方法。
【請求項４】
店舗内で販売される食料肉の商品情報を顧客に提供するための通信ネットワークによる食料肉商品情報の提供システムにおいて、
食料肉の対象種の生産履歴情報および病検査結果としての陰性情報をＤＮＡ情報に関連付けて通信ネットワークを介して提供する出荷情報管理システムと、
提供されたＤＮＡ情報からパスワード情報を作成して提供された上記３つの情報と共にデータベースに蓄積し、加工された食料肉の検査結果として加工時あるいは販売時のＤＮＡ情報を入手して加工時あるいは販売時のパスワード情報を構成し、該パスワード情報と前記出荷情報管理システムから提供されたパスワードとの一致性を判断して前記データベースに蓄積された上記３つの情報を前記出荷情報管理システムもしくは顧客の情報端末もしくは携帯電話機に提供する中央情報管理システムと、
を有することを特徴とする食料肉商品情報の提供システム。
【請求項５】
請求項４において、加工された食料肉の検査結果として加工時あるいは販売時のＤＮＡ情報を前記中央管理システムに提供し、前記中央情報管理システムのデータベースに蓄積された生産履歴情報および陰性情報を実質的に実時間で顧客の端末あるいは携帯電話機に提供する店舗用情報管理システムを含むことを特徴とする食料肉商品情報の提供システム。
【請求項６】
請求項５において、中央情報管理システムは、出荷情報管理システムに対して課金する手段を含むことを特徴とする食料肉商品情報の提供システム。
【請求項７】
請求項５あるいは６において、中央情報管理システムは、店舗情報管理システムに対して、課金する手段を含むことを特徴とする食料肉商品情報提供システム。
【手続補正２】
【補正対象書類名】明細書
【補正対象項目名】０００９
【補正方法】変更
【補正の内容】
【０００９】
本発明は、具体的には次に掲げる方法および装置を提供する。
本発明は、店舗内で販売される食料肉の商品情報を顧客に提供するための通信ネットワークによる食料肉商品情報の提供方法において、中央情報管理システムは、出荷情報管理システムから食料肉商品情報として、食料肉の対象種の生存時の生産履歴情報および病検査結果としての陰性情報をＤＮＡ等情報に関連付けて通信ネットワークを介して提供を受けて該ＤＮＡ情報からパスワードを作成して入手し、データベースに蓄積し、加工された食料肉の商品情報として、加工時あるいは販売時のＤＮＡ情報がパスワード情報として提供され、加工時あるいは販売時のパスワード情報と前記食料肉商品情報としてのパスワード情報の一致性を判定して、一致するときに、前記データベースに蓄積された生産履歴情報、および病検査結果としての陰性情報を前記店舗用情報管理システムもしくは顧客の情報端末あるいは携帯電話機に提供することを特徴とする食料肉商品情報の提供方法を提供する。
【手続補正３】
【補正対象書類名】明細書
【補正対象項目名】００１０
【補正方法】変更
【補正の内容】
【００１０】
本発明は、前記生産履歴、および陰性情報はラベルに印字して加工された食料肉の包装または食料肉販売の店内に貼付された情報であることを特徴とする食料肉商品情報生産履歴、および陰性情報はラベルに印字して加工された食料肉の包装または食料肉販売の店内に貼付された情報であることを特徴とする食料肉商品情報を提供する。
また、本発明は、前記中央情報管理システムは、前記食料肉商品情報の提供に対して課金を計算し、および前記加工された食料肉の商品情報の提供に対して課金を計算することを特徴とする食料肉商品情報を提供する。
【手続補正４】
【補正対象書類名】明細書
【補正対象項目名】００１１
【補正方法】変更
【補正の内容】
【００１１】
本発明は、更に店舗内で販売される食料肉の商品情報を顧客に提供するための通信ネットワークによる食料肉商品情報の提供システムにおいて、食料肉の対象種の生産履歴情報および病検査結果としての陰性情報をＤＮＡ情報に関連付けて通信ネットワークを介して提供する出荷情報管理システムと、提供されたＤＮＡ情報からパスワード情報を作成して提供された上記３つの情報と共にデータベースに蓄積し、加工された食料肉の検査結果として加工時あるいは販売時のＤＮＡ情報を入手して加工時あるいは販売時のパスワード情報を構成し、該パスワード情報と前記出荷情報管理システムから提供されたパスワードとの一致性を判断して前記データベースに蓄積された上記３つの情報を前記出荷情報管理システムもしくは顧客の情報端末もしくは携帯電話機に提供する中央情報管理システムと、
を有することを特徴とする食料肉商品情報の提供システムを提供する。
【手続補正５】
【補正対象書類名】明細書
【補正対象項目名】００１２
【補正方法】変更
【補正の内容】
【００１２】
加工された食料肉の検査結果として加工時あるいは販売時のＤＮＡ情報を前記中央管理システムに提供し、前記中央情報管理システムのデータベースに蓄積された生産履歴情報および陰性情報を実質的に実時間で顧客の端末あるいは携帯電話機に提供する店舗用情報管理システムを含むことを特徴とする食料肉商品情報の提供システムを提供する。場合によっては、生産履歴情報の提供によって陰性であったことが判断し得ることもある。また、陰性情報のみで充分に用を足すこともある。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】
空気の吸気口を下部に、空気の吹出口を上部にそれぞれ設けた本体ケースと、前記本体ケース内にそれぞれ設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機等を制御する制御部を備え、前記送風機は、空気中の臭気が上方に拡散する前に下向きの吸気流れを発生させて臭気を吸引するように構成したことを特徴とする脱臭装置。
【請求項２】
吸気口は本体ケースの下部前面に設け、前記吸気口からの吸込み流れを、斜め下向きの吸気流れになるように前記吸気口と送風機を配置した請求項１に記載の脱臭装置。
【請求項３】
送風機は、脱臭素子の上流側に設けた請求項１または２に記載の脱臭装置。
【手続補正２】
【補正対象書類名】明細書
【補正対象項目名】００１１
【補正方法】変更
【補正の内容】
【００１１】
請求項１記載に係る発明は、空気の吸気口を下部に、空気の吹出口を上部にそれぞれ設けた本体ケースと、前記本体ケース内にそれぞれ設け、前記吸気口からの空気を通すことで空気中に含まれる臭気を除去する脱臭素子と、空気を前記吸気口から吸引し、前記吹出口から吹出して前記脱臭素子に還流させる送風機と、前記送風機等を制御する制御部を備え、前記送風機は、臭気が上方に拡散する前に下向きの吸気流れを発生させて臭気を吸引するように構成した脱臭装置である。
【手続補正３】
【補正対象書類名】明細書
【補正対象項目名】００１２
【補正方法】変更
【補正の内容】
【００１２】
上記実施の形態によれば、送風機により吸気口から本体ケースの下部に下向きの吸気流れを発生させることで、臭気発生源の臭いが拡散する前に吸引し脱臭して、素早く効率的な脱臭が行えるとともに、下向きに吸気流れを発生させることで、臭気が人間の鼻に達しないようにして吸引させることができ臭気をほとんど感じることなく脱臭することができる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正書】
【提出日】平成17年2月17日(2005.2.17)
【手続補正１】
【補正対象書類名】特許請求の範囲
【補正対象項目名】全文
【補正方法】変更
【補正の内容】
【特許請求の範囲】
【請求項１】
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有してなり、
前記大寸法内部の上部に、前記ボール支持部の内部を経て上方に開放した挿入開口を有すると共に、離脱防止用の内方突部を有し、大寸法内部の下方に、水平方向の内部寸法が前記大寸法内部よりも小さい脚部突出開口を有し、
前記脚体の脚部の少なくとも下部が前記脚部突出開口より突出し、前記水平方向拡大部が前記大寸法内部に収容されて前記内方突部により離脱が防止された状態で、脚体に取り付けられることを特徴とするゴルフボール支持体。
【請求項２】
地面に差し込んで自立させる脚部の上方に水平方向拡大部を備えた脚体に着脱可能に取り付けられるゴルフボール支持体であって、
内部が上下に開放したボール支持部を上端部に有し、そのボール支持部の下方に大寸法内部を有し、その大寸法内部の下方に、水平方向の内部寸法が前記大寸法内部よりも小さい小寸法内部が連通してなり、
前記大寸法内部の上部に、前記ボール支持部の内部を経て上方に開放した挿入開口を有すると共に、離脱防止用の内方突部を有し、
前記小寸法内部の下方に、脚部突出開口を有し、
前記脚体の脚部の少なくとも下部が前記脚部突出開口より突出し、脚部の上部が小寸法内部に収容されると共に、前記水平方向拡大部が前記大寸法内部に収容されて前記内方突部により離脱が防止された状態で、脚体に取り付けられることを特徴とするゴルフボール支持体。
【請求項３】
ボール支持部が、略上方又は上外方に突起する３以上の支持突起を有してなり、それらの支持突起の上にゴルフボールを支持するものであり、前記支持突起は、大寸法内部の外周部の上方に、大寸法内部の上方部を取り囲むように位置する請求項１又は２記載のゴルフボール支持体。
【請求項４】
少なくとも小寸法内部の外周部が弾性材料からなり、その小寸法内部の外周部に、下端が脚部突出開口に達する１又は複数のスリット部を備え、そのスリット部の水平方向間隙が前記外周部の弾性的な変形により拡大して小寸法内部の水平方向の寸法が拡大し得るものである請求項１、２又は３記載のゴルフボール支持体。
【請求項５】
少なくとも小寸法内部及び大寸法内部の外周部が弾性材料からなり、上記スリット部の１又は２以上の上端部が、大寸法内部の外周部に達するものであり、そのスリット部の水平方向間隙が前記外周部の一方又は両方の弾性的な変形により拡大して小寸法内部および／または大寸法内部の水平方向の寸法が拡大し得るものである請求項４記載のゴルフボール支持体。
【請求項６】
少なくとも大寸法内部の外周部が弾性材料からなり、その大寸法内部の外周部に、上方に開放した切込部を１又は２以上有し、その切込部の水平方向間隙が前記外周部の弾性的な変形により拡大して大寸法内部の水平方向の寸法が拡大し得るものである請求項１乃至５の何れかに記載のゴルフボール支持体。
【請求項７】
全体が弾性材料製である請求項１乃至６の何れかに記載のゴルフボール支持体。
【請求項８】
上記内方突部を、周方向間隔を隔てた２箇所以上に有する請求項１乃至７の何れかに記載のゴルフボール支持体。
【手続補正書】
【提出日】平成17年10月21日(2005.10.21)
【手続補正１】
【補正対象書類名】明細書
【補正対象項目名】請求項１
【補正方法】変更
【補正の内容】
【請求項１】 メタルケース内に触媒担体を備え、該触媒担体の前後の少なくとも一方に位置する前記メタルケースをコーン状に形成し、そのメタルケース内にコーン状の内管を設けて二重管構造とした触媒コンバータにおいて、
二重管構造とした部位における前記メタルケースと前記内管との間に空隙を設け、前記内管を前記触媒担体から離間するように配置し、
二重管構造とした部位における前記メタルケースと前記内管との間の少なくとも触媒担体側の端部に緩衝材を介在させたことを特徴とする触媒コンバータ。
【手続補正２】
【補正対象書類名】明細書
【補正対象項目名】０００６
【補正方法】変更
【補正の内容】
【０００６】
【課題を解決するための手段】
前記の課題を解決するために、請求項１記載の第１の発明は、メタルケース内に触媒担体を備え、該触媒担体の前後の少なくとも一方に位置する前記メタルケースをコーン状に形成し、そのメタルケース内にコーン状の内管を設けて二重管構造とした触媒コンバータにおいて、
二重管構造とした部位における前記メタルケースと前記内管との間に空隙を設け、前記内管を前記触媒担体から離間するように配置し、
二重管構造とした部位における前記メタルケースと前記内管との間の少なくとも触媒担体側の端部に緩衝材を介在させたことを特徴とするものである。
【手続補正３】
【補正対象書類名】明細書
【補正対象項目名】００１３
【補正方法】変更
【補正の内容】
【００１３】
前記メタルケース１における前側コーン部５と内管１１との間には緩衝材１４，１５が介在されている。該緩衝材１４，１５は、ステンレス等の金属細線をメリヤス編み等により絡み合わせた後に所望の形状に圧縮成形したものである。図の実施例では、この緩衝材１４，１５をリング状に形成して内管１１の前後部の外周に配置されている。より具体的には、前側の緩衝材１４を内管１１の前端部外周に配置し、後側の緩衝材１５を、内管１１の拡開側の後端に軸芯と平行する挟持部１６を形成して該挟持部１６と前記メタルケース１の円筒部２との間に介在している。
【手続補正４】
【補正対象書類名】明細書
【補正対象項目名】００１８
【補正方法】変更
【補正の内容】
【００１８】
図３は第２実施例を示すもので、前記図１のＡ部に相当する部分の要部縦断面図である。
本第２実施例は、前記第１実施例における内管１１の後端、すなわち前記触媒担体３側の端部を径方向の外側へ折曲したものである。具体的には前記挟持部１６の後端を径方向の外側へ折曲してフランジ１７を形成したものである。なお、該フランジ１７の径方向端は、前記の円筒部２より離間させて、内管１１の振動時にフランジ１７がメタルケース１に衝突しないようにしている。
【手続補正５】
【補正対象書類名】明細書
【補正対象項目名】００３２
【補正方法】変更
【補正の内容】
【００３２】
前記いずれの実施例も後側の緩衝材１５を、内菅１１に挟持部１６を形成して該挟持部１６と円筒部２との間に介在させているが、必ずしも挟持部１６は必要ではなく、内菅１１におけるテーパ部分の後端部とコーン部５の間に介在させてもよい。
【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
画像形成部材と、該画像形成部材に接続された引き出し配線とを有する画像形成基板であって、前記引き出し配線は、前記基板の四隅のうちの少なくとも一つの隅に配置されていることを特徴とする画像形成基板。
【請求項２】
前記引き出し配線を複数有し、該引き出し配線は、前記基板の四隅のうちの複数の隅に配置されている請求項１に記載の画像形成基板。
【請求項３】
前記画像形成部材が蛍光体を有する請求項１または２に記載の画像形成基板。
【請求項４】
前記画像形成部材がメタルバックを有する請求項１〜３のいずれかに記載の画像形成基板。
【請求項５】
前記メタルバックと前記引き出し配線とが電気的に接続されている請求項４に記載の画像形成基板。
【請求項６】
更に、前記隅に形成された貫通孔と、該貫通孔内に配置され、前記引き出し配線と接続された導電部材とを有する請求項１〜５のいずれかに記載の画像形成基板。
【請求項７】
画像形成基板と電子源基板と前記両基板との間に配置された外枠とを有する画像形成装置において、前記画像形成基板が請求項１〜６のいずれかに記載の基板であることを特徴とする画像形成装置。
【請求項８】
画像形成基板と電子源基板と前記両基板との間に配置された外枠とを有する画像形成装置において、前記電子源基板は、高圧端子が配置された貫通孔を有しており、前記引き出し配線と該高圧端子とが電気的に接続されている請求項１〜５のいずれかに記載の画像形成装置。
【請求項９】
前記引き出し配線と前記高圧端子とが電気的に接続されている接続部が、前記外枠の内側にある請求項８に記載の画像形成装置。
【請求項１０】
画像形成基板と電子源基板と前記両基板との間に配置された外枠とを有する画像形成装置において、前記電子源基板は、その各々に高圧端子が配置された複数の貫通孔を有しており、前記複数の引き出し配線と該複数の高圧端子とのそれぞれが電気的に接続されている請求項２〜５のいずれかに記載の画像形成装置。
【手続補正書】
【提出日】平成17年10月14日(2005.10.14)
【手続補正１】
【補正対象書類名】明細書
【補正対象項目名】請求項１
【補正方法】変更
【補正の内容】
【請求項１】  絶縁性基板上に配線層が形成され、該配線層の上面および／または隣接する配線層との間にＰｂＯ系ガラスより誘電率の小さい無鉛のガラスからなる絶縁層が設けられたことを特徴とする蛍光表示管。
【手続補正２】
【補正対象書類名】明細書
【補正対象項目名】００１９
【補正方法】変更
【補正の内容】
【００１９】
【課題を解決するための手段】
上記目的を達成するため、請求項１の発明は、絶縁性基板上に配線層が形成され、該配線層の上面および／または隣接する配線層との間にＰｂＯ系ガラスより誘電率の小さい無鉛のガラスからなる絶縁層が設けられたことを特徴とする。
【手続補正書】
【提出日】平成16年8月10日(2004.8.10)
【手続補正１】
【補正対象書類名】明細書
【補正対象項目名】請求項１
【補正方法】変更
【補正の内容】
【請求項１】
樹脂フィルムの表面に形成された導体パターン層と、前記導体パターン層上に形成されたリンニッケルめっき層であって、フッ化アンモニウムとスルファミン酸ナトリウムの混合溶液に浸漬され、表層のリン成分が減少されたリンニッケルめっき層と、前記リンニッケルめっき層上に形成された金めっき層とを有することを特徴とする半導体装置用テープキャリア。
【手続補正２】
【補正対象書類名】明細書
【補正対象項目名】請求項３
【補正方法】変更
【補正の内容】
【請求項３】
樹脂フィルムの表面に形成された導体パターン層と、前記導体パターン層上に形成されたリンニッケルめっき層と、前記リンニッケルめっき層上に形成された金めっき層とを有する半導体装置用テープキャリアの製造方法において、上記金めっき層を形成する前に、フッ化アンモニウムとスルファミン酸ナトリウムの混合溶液に浸漬させ、上記リンニッケルめっき層の表層のリン成分を減少させることを特徴とする半導体装置用テープキャリアの製造方法。
【手続補正３】
【補正対象書類名】明細書
【補正対象項目名】０００８
【補正方法】変更
【補正の内容】
【０００８】
【課題を解決するための手段】
上記目的を達成するため、本発明の半導体装置用テープキャリアは、樹脂フィルムの表面に形成された導体パターン層と、前記導体パターン層上に形成されたリンニッケルめっき層であって、フッ化アンモニウムとスルファミン酸ナトリウムの混合溶液に浸漬され、表層のリン成分が減少されたリンニッケルめっき層と、前記リンニッケルめっき層上に形成された金めっき層とを有する構成としたものである（請求項１）。
【手続補正４】
【補正対象書類名】明細書
【補正対象項目名】００１０
【補正方法】変更
【補正の内容】
【００１０】
また、本発明による半導体装置用テープキャリアの製造方法は、半導体装置用テープキャリアにおけるリンニッケルめっき層と金めっき層の密着性の向上のために、上記半導体装置用テープキャリアを製造する際に、上記半導体装置用テープキャリアを上記請求項１記載のフッ化アンモニウムとスルファミン酸ナトリウムの混合溶液に浸漬処理させるものである。即ち、樹脂フィルムの表面に形成された導体パターン層と、前記導体パターン層上に形成されたリンニッケルめっき層と、前記リンニッケルめっき層上に形成された金めっき層とを有する半導体装置用テープキャリアの製造方法において、上記金めっき層を形成する前に、フッ化アンモニウムとスルファミン酸ナトリウムの混合溶液に浸漬させ（以後ＦＳ処理）、上記リンニッケルめっき層の表層のリン成分を減少させることを特徴とするものである（請求項３）。
【手続補正５】
【補正対象書類名】明細書
【補正対象項目名】００１４
【補正方法】変更
【補正の内容】
【００１４】
ポリイミドフィルム１の表面には導体パターン層２が形成され、前記導体パターン層上にはリン含有率８〜１２重量％のリンニッケルめっき層３が形成される。前記リンニッケルめっき層３上に金めっき層４を形成する前に、リンニッケルめっき層３の表層は、フツ化アンモニウムとスルファミン酸ナトリウムの混合溶液に浸漬させる。このＦＳ処理により、リンニッケルめっき表層のリン成分を減少させた後、金めっき層が形成される。
【手続補正書】
【提出日】平成16年3月18日(2004.3.18)
【手続補正１】
【補正対象書類名】明細書
【補正対象項目名】発明の名称
【補正方法】変更
【補正の内容】
【発明の名称】半導体装置、半導体装置の製造方法、半導体装置の実装構造、液晶装置、及び電子機器


【手続補正２】
【補正対象書類名】明細書
【補正対象項目名】特許請求の範囲
【補正方法】変更
【補正の内容】
【特許請求の範囲】
【請求項１】
導電粒子を含む異方性導電膜を介しての圧着により基板側の電極端子に電気的接続されるフェイスダウンボンディング用の複数のバンプ電極を備える半導体装置において、
前記バンプ電極は、前記基板の電極端子に対向する当該バンプ電極の表面側に比較して根元部分の方が細くなっていることを特徴とする半導体装置。
【請求項２】
請求項１に規定する半導体装置を前記異方性導電膜を用いて前記基板に圧着したことを特徴とする半導体装置の実装構造。
【請求項３】
請求項２に規定する半導体装置の実装構造を用いた液晶装置であって、基板間に液晶が封入された液晶パネルを構成する基板、および該液晶パネルに電気的接続された配線基板のうちの少なくとも一方の基板に前記半導体装置が実装されていることを特徴とする液晶装置。
【請求項４】
請求項３に規定する液晶装置を搭載したことを特徴とする電子機器。【請求項５】半導体基板に電極を形成する工程と、
前記半導体基板上に感光性樹脂を塗布する工程と、
マスクを用いて前記感光性樹脂を露光する工程と、
露光された前記感光性樹脂を現像する工程と、
現像によって開孔された部分にめっきを施す工程と、
前記感光性樹脂を除去する工程と、
を有する半導体装置の製造方法であって、
前記感光性樹脂を露光する工程で、照射された光が前記感光性樹脂内で横方向に拡散するように前記光を照射することを特徴とする半導体装置の製造方法。
【手続補正３】
【補正対象書類名】明細書
【補正対象項目名】０００９
【補正方法】変更
【補正の内容】
【０００９】
本発明に係る半導体装置の実装構造は各種の半導体装置に適用できるが、液晶装置において、基板間に液晶が封入された液晶パネルを構成する基板、および該液晶パネルに回路接続された配線基板のうちのいずれかの基板に本発明に係る半導体装置を実装すると、効果的である。すなわち、このような液晶装置を、たとえば携帯電話などの電子機器の表示装置として用いた際に、液晶装置において表示品位を向上するには、画素数を増やす必要があり、その結果、液晶パネルに構成される電極数が増大し、電極端子が高密度に配置されることになる。しかるに、本発明に係る半導体装置の実装構造を用いれば、電極端子およびバンプ電極が高密度に配置されても、バンプ電極同士が導電粒子によって短絡することがなく、かつ、バンプ電極と電極端子との間に多数の導電粒子を確保してバンプ電極と電極端子とを良好に電気的接続することができる。
また、本発明に係る半導体装置の製造方法は、半導体基板に電極を形成する工程と、前記半導体基板上に感光性樹脂を塗布する工程と、マスクを用いて前記感光性樹脂を露光する工程と、露光された前記感光性樹脂を現像する工程と、現像によって開孔された部分にめっきを施す工程と、前記感光性樹脂を除去する工程と、を有する半導体装置の製造方法であって、前記感光性樹脂を露光する工程で、照射された光が前記感光性樹脂内で横方向に拡散するように前記光を照射することを特徴とする。